(57)【要約】 【課題】  寿命が長く且つ研削の効率が高いバリ取り工具を提供する。【解決手段】  複数本の研削用ワイヤ２を、心棒３の周りに中央部を紡錘状に膨出湾曲させた状態に形成し、その両端を止め具４により束ねた状態で、シャンク１の一端に取り付ける。研削用ワイヤ２として、金属素線の表面にダイヤモンド砥粒あるいはｃＢＮ砥粒からなる超砥粒がニッケルメッキにより電着されたものを用いる。なお、金属素線として、断面形状三角形のピアノ線を捻回した三角捻り線を使用することにより、三角形のエッジ部が鋭利にバリに食い込むので、効果的にバリを除去することができる。【選択図】    図１
2005138221.tif 000002
【特許請求の範囲】
【請求項１】
複数本の研削用ワイヤの両端を束ねその中央部を紡錘状に湾曲させた状態でシャンクの一端に固定したバリ取り工具において、前記研削用ワイヤは金属素線の表面に超砥粒が電着されたものであることを特徴とするバリ取り工具。
【請求項２】
超砥粒はダイヤモンド砥粒またはｃＢＮ砥粒であって、前記砥粒がニッケルメッキ層により電着されている請求項１に記載のバリ取り工具。
【請求項３】
金属素線は、断面形状三角形のピアノ線を捻回した三角捻り線である請求項１または２に記載のバリ取り工具。
【発明の詳細な説明】
【技術分野】
【０００１】
本発明は、穴明け加工や鋳抜きによって形成された穴部のバリを除去するためのバリ取り工具に関するものである。
【背景技術】
【０００２】
ドリル、フライス加工等により金属製のワークに穴明け加工を施すと、穴部の入口、出口付近にはバリが形成されることが多い。また、鋳物においても一体中子を用いて鋳抜き穴を同時に形成した場合には、鋳抜き穴にバリが形成され易い。このような穴部のバリを除去するための工具として特許文献１には、複数本の金属ワイヤを軸部の一軸線の周りに円弧状に膨出湾曲させた状態で配置し、その両端を束ねて構成したバリ取り工具が開示されている。この工具は穴部に挿入され回転されることによって、金属ワイヤの外周が穴部出口などのバリに摺接されて、バリを除去するものである。
【特許文献１】特開２００１−９５８４号公報  (図３)
【０００３】
しかしながら、上記金属ワイヤはピアノ線材、ステンレス線材等の金属線材を素材とし、これを伸線加工して小径化し加工硬化により硬度を付与しただけのものであるので、硬度の高さにおいて限界がある。したがって、従来の金属ワイヤは磨耗が早く寿命が短いという問題があった。特にワークの硬度が高い場合にはこの問題が顕著となる。また、金属ワイヤの表面は平滑であるのでバリとの摩擦力が小さく、したがって、バリが容易に除去されずバリ取りに時間を要す、取り残しが多いという問題もあった。
【発明の開示】
【発明が解決しようとする課題】
【０００４】
本発明は上記した従来の問題点を解決して、寿命が長く且つ研削の効率が高いバリ取り工具を提供するためになされたものである。
【課題を解決するための手段】
【０００５】
上記の課題を解決するためになされた本発明のバリ取り工具は、複数本の研削用ワイヤの両端を束ねその中央部を紡錘状に湾曲させた状態でシャンクの一端に固定したバリ取り工具において、前記研削用ワイヤは金属素線の表面に超砥粒が電着されたものであることを特徴とするものである。なお、上記バリ取り工具において、超砥粒はダイヤモンド砥粒またはｃＢＮ砥粒であって、前記砥粒をニッケルメッキ層により電着することができ、また、金属素線を、断面形状三角形のピアノ線を捻回した三角捻り線とすることができる。
【発明の効果】
【０００６】
本発明のバリ取り工具は、研削用ワイヤとして金属素線の表面に超砥粒が電着されたものを用いたので耐摩耗性を向上して金属ワイヤの寿命を長くすることができる。超砥粒としてダイヤモンド砥粒またはｃＢＮ砥粒を用い、これらの砥粒をニッケルメッキ層により電着したので、金属素線の表面に超硬質粒子による凹凸を形成することができ研削の効率を飛躍的に高めることができる。また、金属素線として三角捻りピアノ線を用いることによって、三角形エッジ部の食い込み効果によりバリを効率よく除去することができる。
【発明を実施するための最良の形態】
【０００７】
以下に図面を参照しつつ本発明の好ましい実施形態を説明する。
図１は本発明の第１の実施形態のバリ取り工具を示す図であって、シャンク１の一端に複数本の研削用ワイヤ２からなる束が取り付けられている。研削用ワイヤ２の束は心棒３の周りに中央部を紡錘状に膨出湾曲させた状態に形成され、その両端が止め具４により束ねられて固定されている。なお、研削用ワイヤ２の束は、図２に示すように、心棒３を用いずともシャンク１の一端に取り付けることができる。
【０００８】
研削用ワイヤは金属素線の表面に超砥粒が電着されたものである。金属素線の断面形状は円形でも多角形であってもよくその形状に特に制限はないが、ピアノ線を断面形状三角形としこれを捻回した図３に示すような三角捻り線２ａを金属素線として用いるのが望ましい。三角捻り線２ａのエッジ部２１が鋭利にバリに食い込むとともに、エッジ部２１が螺旋状に形成されているので研削用ワイヤ２のワークの穴部への挿通を容易となるので、効率的にバリ取りを行うことができるからである。
【０００９】
図４に研削用ワイヤ２の部分断面構造を示すが、研削用ワイヤ２にはダイヤモンド砥粒あるいはｃＢＮ砥粒からなる超砥粒５がニッケルメッキ層５ａにより電着された研削層６が形成されている。超砥粒５の層は一層に限らず、二層、多層とすることにより耐摩耗性は向上する。電着は洗浄した長尺の三角捻り線２ａを、超砥粒槽を備えたニッケルメッキ槽内を通過させる周知の方法によって行うことができる。超砥粒槽に充填されたダイヤモンドなどの超砥粒５をニッケルメッキ層５ａにて金属素線の表面に着床させる。電着後の三角捻り線２ａは適宜の長さに切断して研削用ワイヤ２とする。この研削用ワイヤ２を１０本程度束ねて紡錘状に形成してシャンク１の一端に取り付けることによって、図１または図２に示したようなバリ取り工具となすことができる。
【実施例】
【００１０】
図５に示す内径６．５ｍｍの横穴７１とこれに直行する縦穴７２を有するワーク７のバリＢを、本発明に係るバリ取り工具を用いて除去した。バリ取り工具は、８本の研削用ワイヤ２の束をシャンク１の一端に有するが、この研削用ワイヤ２は、一辺の長さ０．７ｍｍの三角捻りピアノ線（ＳＷＰ−Ａ）であって、その表面に＃２００のダイヤモンドが電着されている。なお、紡錘状の束の最大径は横穴７１の径より０．５ｍｍ大きいものとした。このバリ取り工具を回転駆動装置の一端に取り付けたうえ回転させて、横穴７１に挿入した。研削用ワイヤ２は弾力的に変形して横穴７１の口部や内部を摺動する。研削用ワイヤ２を横穴７１の一方から他方に貫通させたところ、工具一回の往復で横穴７１の入口、出口と、縦穴７２との交差口に生じていたバリＢを綺麗に除去することができ、バリ取り作業の時間を大幅に短縮することができた。また、研削層６は容易に損耗することがなく、よって研削用ワイヤ２の寿命を大幅に延長することができた。
【００１１】
なお、バリ取り工具の周速は０．５〜１００ｍ／ｍｉｎとするのが好ましい。周速が０．５ｍ／ｍｉｎ未満ではバリ取り効率が悪いからであり、一方１００ｍ／ｍｉｎ超とすると研削用ワイヤ２の損耗が多くなるからである。また、超砥粒５の粒度は除去するバリの大きさ、ワーク７の表面粗さに応じて適宜選択することができる。また、研削用ワイヤ２の本数、太さ、長さを加減することによっても、バリ取り能率、表面粗さを調整することができる。さらに、超砥粒５が摩耗してバリ取り能率が低下した時は、研削用ワイヤ２に再び電着を施すことによって研削用ワイヤ２を繰り返し使用することができる。
【図面の簡単な説明】
【００１２】
【図１】本発明の実施形態のバリ取り工具を示す斜視図である。
【図２】他の実施形態のバリ取り工具を示す斜視図である。
【図３】三角捻り線の斜視図である。
【図４】超砥粒が電着された金属ワイヤの部分断面図である。
【図５】穴部のバリをバリ取り工具により除去する説明図である。
【符号の説明】
【００１３】
１  シャンク
２  研削用ワイヤ
３  心棒
４  止め具
【図１】
2005138221.tif 000003
【図２】
2005138221.tif 000004
【図３】
2005138221.tif 000005
【図４】
2005138221.tif 000006
【図５】
2005138221.tif 000007